(57)【特許請求の範囲】
【請求項１】
複数の無線方式の管理と無線方式を示す報知信号の報知を行う信号処理装置と、複数の無線方式のいずれか同一の無線方式を用いてデータの送受信を行う基地局と端末局とにより構成される無線通信システムであって、
前記基地局は、
前記複数の無線方式のいずれかを、前記端末局とのデータの送受信に用いる無線方式として設定する無線方式設定手段と、
前記無線方式設定手段により設定された前記無線方式と同一の無線方式を用いる端末局との間でデータの送受信を行う送受信手段と
を備え、
前記信号処理装置は、
前記基地局に設定されていない無線方式を示す報知信号を、前記基地局を介して前記端末局に報知する報知手段と、
前記基地局に設定されていない無線方式による同期要求を前記端末局から前記基地局を介して受信した場合に、前記基地局に対して、前記端末局からの前記同期要求に対応する無線方式の設定を指示する指示手段と
を備え、
前記基地局は、
前記無線方式設定手段により、前記信号処理装置の前記指示手段による指示に従って、前記端末局からの前記同期要求に対応する無線方式を、前記端末局とのデータの送受信に用いる無線方式として設定する
ことを特徴とする無線通信システム。
【請求項２】
前記報知手段は、前記基地局に設定されていない無線方式を示す報知信号を、前記基地局が前記無線方式設定手段により設定された無線方式を示す報知信号を前記端末局に報知する所定の時間間隔に比べて、より低頻度で前記基地局を介して前記端末局に報知する
ことを特徴とする請求項１に記載の無線通信システム。
【請求項３】
前記基地局は、前記無線方式設定手段により設定されている無線方式を用いて行われた通信の頻度が所定の閾値を下回った場合、当該無線方式の設定を解除する無線方式解除手段を更に備えることを特徴とする請求項１または２に記載の無線通信システム。
【請求項４】
複数の無線方式の管理と無線方式を示す報知信号の報知を行う方式管理装置と、信号処理装置と、基地局と、複数の無線方式のいずれか同一の無線方式を用いて、前記基地局を介して、前記信号処理装置との間でデータの送受信を行う端末局とにより構成される無線通信システムであって、
前記信号処理装置は、
前記複数の無線方式のいずれかを、前記端末局とのデータの送受信に用いる無線方式として設定する無線方式設定手段と、
前記基地局を介して、前記無線方式設定手段により設定された前記無線方式と同一の無線方式を用いる端末局との間でデータの送受信を行う送受信手段と
を備え、
前記方式管理装置は、
前記信号処理装置に設定されていない無線方式を示す報知信号を、前記信号処理装置と前記基地局とを介して前記端末局に報知する報知手段と、
前記信号処理装置に設定されていない無線方式による同期要求を前記端末局から前記基地局と前記信号処理装置を介して受信した場合に、前記信号処理装置に対して、前記端末局からの前記同期要求に対応する無線方式の設定を指示する指示手段と
を備え、
前記信号処理装置は、
前記無線方式設定手段により、前記方式管理装置の前記指示手段による指示に従って、前記端末局からの前記同期要求に対応する無線方式を、前記端末局とのデータの送受信に用いる無線方式として設定する
ことを特徴とする無線通信システム。
【請求項５】
前記報知手段は、前記信号処理装置に設定されていない無線方式を示す報知信号を、前記信号処理装置が前記無線方式設定手段により設定された無線方式を示す報知信号を前記端末局に報知する所定の時間間隔に比べて、より低頻度で前記信号処理装置と前記基地局とを介して前記端末局に報知する
ことを特徴とする請求項４に記載の無線通信システム。
【請求項６】
前記信号処理装置は、前記無線方式設定手段により設定されている無線方式を用いて行われた通信の頻度が所定の閾値を下回った場合、当該無線方式の設定を解除する無線方式解除手段を更に備えることを特徴とする請求項４または５に記載の無線通信システム。
【請求項７】
信号処理装置と、複数の無線方式のいずれか同一の無線方式を用いてデータの送受信を行う基地局と端末局とにより構成される無線通信システムの無線方式設定方法であって、
前記信号処理装置が、前記基地局に設定されていない無線方式を示す報知信号を、前記基地局を介して前記端末局に報知する報知ステップと、
前記信号処理装置が、前記基地局に設定されていない無線方式による同期要求を前記端末局から前記基地局を介して受信した場合に、前記基地局に対して、前記端末局からの前記同期要求に対応する無線方式の設定を指示する指示ステップと、
前記基地局が、前記指示ステップでの前記信号処理装置からの指示に従って、前記端末局からの前記同期要求に対応する無線方式を、前記端末局とのデータの送受信に用いる無線方式として設定する無線方式設定ステップと、
前記基地局が、前記無線方式設定ステップで前記基地局に設定された前記無線方式と同一の無線方式を用いる端末局との間でデータの送受信を行う送受信ステップと
を含むことを特徴とする無線方式設定方法。
【請求項８】
方式管理装置と、信号処理装置と、基地局と、複数の無線方式のいずれか同一の無線方式を用いて、前記基地局を介して、前記信号処理装置との間でデータの送受信を行う端末局とにより構成される無線通信システムの無線方式設定方法であって、
前記方式管理装置が、前記信号処理装置に設定されていない無線方式を示す報知信号を、前記信号処理装置と前記基地局とを介して前記端末局に報知する報知ステップと、
前記方式管理装置が、前記信号処理装置に設定されていない無線方式による同期要求を前記端末局から前記基地局と前記信号処理装置とを介して受信した場合に、前記信号処理装置に対して、前記端末局からの前記同期要求に対応する無線方式の設定を指示する指示ステップと、
前記信号処理装置が、前記指示ステップでの前記方式管理装置からの指示に従って、前記端末局からの前記同期要求に対応する無線方式を、前記端末局とのデータの送受信に用いる無線方式として設定する無線方式設定ステップと、
前記信号処理装置が、前記基地局を介して、前記無線方式設定ステップで前記信号処理装置に設定された前記無線方式と同一の無線方式を用いる端末局との間でデータの送受信を行う送受信ステップと
を含むことを特徴とする無線方式設定方法。
【発明の詳細な説明】
【技術分野】
【０００１】
本発明は、フレキシブルワイヤレスシステムに係り、複数の無線方式を用いる無線通信システム及び無線方式設定方法に関する。
【背景技術】
【０００２】
ＩＥＥＥ８０２．１１（例えば非特許文献１参照）では、無線基地局と無線端末局とで構成されるＢＳＳ（Basic Service Set）内において、無線基地局が通信に必要な様々な情報（時間同期に関する情報、周波数チャネルに関する情報、パワーマネジメントに関する情報、ＱｏＳに関する情報など）を報知するための下り報知信号（ビーコン）を周期的に送信する。無線端末局は、ビーコンを受信することで、無線基地局との同期を確立することが可能である。
【０００３】
また、ＩＥＥＥ８０２．１５．４（例えば非特許文献２参照）では、オプション機能として、ＭＡＣフレームをスロットＡＬＯＨＡのように、スロット単位に分割したスーパーフレームを利用することが可能である。スーパーフレームを利用する場合、ルータ、またはコーディネータがスーパーフレームを利用するために必要な情報（時間同期に関する情報、スーパーフレームとビーコンの送信周期に関する情報、スーパーフレームのスロット構成に関する情報など）を報知するための下り報知信号（ビーコン）を周期的に送信する。無線端末局は、ビーコンを受信することで、親ノード（ルータ、またはコーディネータ）との同期を確立することが可能である。
【先行技術文献】
【非特許文献】
【０００４】
【非特許文献１】IEEE  Std  802.11-2007（p.419-421）
【非特許文献２】IEEE  Std  802.15.4-2003（p.13-28）
【発明の概要】
【発明が解決しようとする課題】
【０００５】
上述した従来技術による無線方式では、無線端末局と無線端末局の接続先（無線基地局や、親ノードなど）との同期を確立する方法が定義されており、無線端末局は、接続先と同期を確立することで、接続先に対して上り信号を送信することができるようになる。
【０００６】
複数の無線方式を収容するフレキシブルワイヤレスシステムにおいて、上述した同期の確立が必要な無線方式を収容する場合、各無線方式に対応した下り報知信号を無線端末局に送信することで、無線端末局と無線端末局の接続先との同期を確立し、無線端末局が接続先に対して上り信号を送信できるようにすることが必要である。
【０００７】
しかしながら、フレキシブル無線基地局が収容する全ての無線方式に対応した下り報知信号を定期的に送信することは、フレキシブル無線基地局が報知信号を送信する負荷を増大させるという問題がある。すなわち、各基地局が報知信号を送信するためには、それぞれの無線方式をサポートしておく必要があり、当該無線方式の無線端末局が当該基地局の近辺にいないときには、当該無線方式のサポート自体が非効率的であり、基地局の負荷を増大させる。また、ある無線方式をサポートする無線端末局が近辺にいないときに、当該無線方式の報知信号を定期的に送信することも、負荷を増大させることとなる。
【０００８】
本発明は、このような事情を考慮してなされたものであり、その目的は、無線方式の報知信号を送信するための負荷を軽減することができるとともに、複数の無線方式にも柔軟に対応することができる無線通信システム、及び無線方式設定方法を提供することにある。
【課題を解決するための手段】
【０００９】
本発明は、複数の無線方式の管理と無線方式を示す報知信号の報知を行う信号処理装置と、複数の無線方式のいずれか同一の無線方式を用いてデータの送受信を行う基地局と端末局とにより構成される無線通信システムであって、前記基地局は、前記複数の無線方式のいずれかを、前記端末局とのデータの送受信に用いる無線方式として設定する無線方式設定手段と、前記無線方式設定手段により設定された前記無線方式と同一の無線方式を用いる端末局との間でデータの送受信を行う送受信手段とを備え、前記信号処理装置は、前記基地局に設定されていない無線方式を示す報知信号を、前記基地局を介して前記端末局に報知する報知手段と、前記基地局に設定されていない無線方式による同期要求を前記端末局から前記基地局を介して受信した場合に、前記基地局に対して、前記端末局からの前記同期要求に対応する無線方式の設定を指示する指示手段とを備え、前記基地局は、前記無線方式設定手段により、前記信号処理装置の前記指示手段による指示に従って、前記端末局からの前記同期要求に対応する無線方式を、前記端末局とのデータの送受信に用いる無線方式として設定することを特徴とする。
【００１０】
本発明は、前記報知手段は、前記基地局に設定されていない無線方式を示す報知信号を、前記基地局が前記無線方式設定手段により設定された無線方式を示す報知信号を前記端末局に報知する所定の時間間隔に比べて、より低頻度で前記基地局を介して前記端末局に報知することを特徴とする。
【００１１】
本発明は、前記基地局は、前記無線方式設定手段により設定されている無線方式を用いて行われた通信の頻度が所定の閾値を下回った場合、当該無線方式の設定を解除する無線方式解除手段を更に備えることを特徴とする。
【００１２】
本発明は、複数の無線方式の管理と無線方式を示す報知信号の報知を行う方式管理装置と、信号処理装置と、基地局と、複数の無線方式のいずれか同一の無線方式を用いて、前記基地局を介して、前記信号処理装置との間でデータの送受信を行う端末局とにより構成される無線通信システムであって、前記信号処理装置は、前記複数の無線方式のいずれかを、前記端末局とのデータの送受信に用いる無線方式として設定する無線方式設定手段と、前記基地局を介して、前記無線方式設定手段により設定された前記無線方式と同一の無線方式を用いる端末局との間でデータの送受信を行う送受信手段とを備え、前記方式管理装置は、前記信号処理装置に設定されていない無線方式を示す報知信号を、前記信号処理装置と前記基地局とを介して前記端末局に報知する報知手段と、前記信号処理装置に設定されていない無線方式による同期要求を前記端末局から前記基地局と前記信号処理装置を介して受信した場合に、前記信号処理装置に対して、前記端末局からの前記同期要求に対応する無線方式の設定を指示する指示手段とを備え、前記信号処理装置は、前記無線方式設定手段により、前記方式管理装置の前記指示手段による指示に従って、前記端末局からの前記同期要求に対応する無線方式を、前記端末局とのデータの送受信に用いる無線方式として設定することを特徴とする。
【００１３】
本発明は、前記報知手段は、前記信号処理装置に設定されていない無線方式を示す報知信号を、前記信号処理装置が前記無線方式設定手段により設定された無線方式を示す報知信号を前記端末局に報知する所定の時間間隔に比べて、より低頻度で前記信号処理装置と前記基地局とを介して前記端末局に報知することを特徴とする。
【００１４】
本発明は、前記信号処理装置は、前記無線方式設定手段により設定されている無線方式を用いて行われた通信の頻度が所定の閾値を下回った場合、当該無線方式の設定を解除する無線方式解除手段を更に備えることを特徴とする。
【００１５】
本発明は、信号処理装置と、複数の無線方式のいずれか同一の無線方式を用いてデータの送受信を行う基地局と端末局とにより構成される無線通信システムの無線方式設定方法であって、前記信号処理装置が、前記基地局に設定されていない無線方式を示す報知信号を、前記基地局を介して前記端末局に報知する報知ステップと、前記信号処理装置が、前記基地局に設定されていない無線方式による同期要求を前記端末局から前記基地局を介して受信した場合に、前記基地局に対して、前記端末局からの前記同期要求に対応する無線方式の設定を指示する指示ステップと、前記基地局が、前記指示ステップでの前記信号処理装置からの指示に従って、前記端末局からの前記同期要求に対応する無線方式を、前記端末局とのデータの送受信に用いる無線方式として設定する無線方式設定ステップと、前記基地局が、前記無線方式設定ステップで前記基地局に設定された前記無線方式と同一の無線方式を用いる端末局との間でデータの送受信を行う送受信ステップとを含むことを特徴とする。
【００１６】
本発明は、方式管理装置と、信号処理装置と、基地局と、複数の無線方式のいずれか同一の無線方式を用いて、前記基地局を介して、前記信号処理装置との間でデータの送受信を行う端末局とにより構成される無線通信システムの無線方式設定方法であって、前記方式管理装置が、前記信号処理装置に設定されていない無線方式を示す報知信号を、前記信号処理装置と前記基地局とを介して前記端末局に報知する報知ステップと、前記方式管理装置が、前記信号処理装置に設定されていない無線方式による同期要求を前記端末局から前記基地局と前記信号処理装置とを介して受信した場合に、前記信号処理装置に対して、前記端末局からの前記同期要求に対応する無線方式の設定を指示する指示ステップと、前記信号処理装置が、前記指示ステップでの前記方式管理装置からの指示に従って、前記端末局からの前記同期要求に対応する無線方式を、前記端末局とのデータの送受信に用いる無線方式として設定する無線方式設定ステップと、前記信号処理装置が、前記基地局を介して、前記無線方式設定ステップで前記信号処理装置に設定された前記無線方式と同一の無線方式を用いる端末局との間でデータの送受信を行う送受信ステップとを含むことを特徴とする。
【発明の効果】
【００１７】
この発明によれば、信号処理装置が、配下の無線基地局に設定されていない無線方式を示す報知信号を低頻度でマルチキャスト送信するため、信号処理装置、及び基地局における、報知信号を送信する際の負荷を軽減することができる。また、基地局が、無線通信システムに新規参入した端末局との同期を確立することができるため、当該端末局による上り信号の送信を実現することができる。また、信号処理装置が、基地局から当該基地局に設定されていない無線方式の信号を受信した場合、当該基地局が当該無線方式を設定できるように指示することができることに加え、基地局が設定されている無線方式を用いて行われた通信の頻度が閾値を下回った場合、当該無線方式を解除できることから、複数の無線方式に柔軟に対応することができる。
【００１８】
また、この発明によれば、方式管理装置が、配下の信号処理装置に設定されていない無線方式を示す報知信号を低頻度で送信するため、方式管理装置、信号処理装置、及び基地局における、報知信号を送信する際の負荷を軽減することができる。また、信号処理装置が、無線通信システムに新規参入した端末局との同期を基地局を介して確立することができるため、当該端末局による上り信号の送信を実現することができる。また、方式管理装置が、信号処理装置から当該信号処理装置に設定されていない無線方式の信号を受信した場合、当該信号処理装置が当該無線方式を設定できるように指示することができることに加え、信号処理装置が設定されている無線方式を用いて行われた通信の頻度が閾値を下回った場合、当該無線方式を解除できることから、複数の無線方式に柔軟に対応することができる。
【図面の簡単な説明】
【００１９】
【図１】本発明の第１実施形態におけるフレキシブルワイヤレスシステムの構成を示すブロック図である。
【図２】本第１実施形態における信号処理装置２、フレキシブル無線基地局３、及び無線端末局４の構成を示すブロック図である。
【図３】本第１実施形態におけるフレキシブルワイヤレスシステム全体の動作を説明する図である。
【図４】本第１実施形態における信号処理装置２、フレキシブル無線基地局３、無線端末局４の各々の動作を説明するフローチャートである。
【図５】本第１実施形態における信号処理装置２、フレキシブル無線基地局３、無線端末局４の各々の動作を説明するフローチャートである。
【図６】本発明の第２実施形態におけるフレキシブルワイヤレスシステムの構成を示すブロック図である。
【図７】本第２実施形態における方式管理装置５、信号処理装置６、フレキシブル無線基地局７、及び無線端末局８の構成を示すブロック図である。
【図８】本第２実施形態におけるフレキシブルワイヤレスシステム全体の動作を説明する図である。
【図９】本第２実施形態における方式管理装置５、信号処理装置６、フレキシブル無線基地局７、無線端末局８の各々の動作を説明するフローチャートである。
【図１０】本第２実施形態における方式管理装置５、信号処理装置６、フレキシブル無線基地局７、無線端末局８の各々の動作を説明するフローチャートである。
【図１１】本第２実施形態における方式管理装置５、信号処理装置６、フレキシブル無線基地局７、無線端末局８の各々の動作を説明するフローチャートである。
【図１２】本第２実施形態における方式管理装置５、信号処理装置６、フレキシブル無線基地局７、無線端末局８の各々の動作を説明するフローチャートである。
【発明を実施するための形態】
【００２０】
本発明は、フレキシブルワイヤレスシステムにおける基地局の負荷を低減するための無線通信システム、及び無線方式設定方法である。フレキシブルワイヤレスシステムでは、各フレキシブル無線基地局がソフトウェアをロードすることにより様々な無線方式に対応し、かつ、同時に複数の無線方式を扱うことができる。ここで、複数の無線方式を扱うときに、当該フレキシブル無線基地局のサービスエリアに存在する端末以外の無線方式までサポートすることは、フレキシブル無線基地局の負荷の増大につながるという問題がある。一方、フレキシブル無線基地局が限られた無線方式のみをサポートしている場合には、それ以外の無線方式の無線端末局がサービスエリアに入ったときに、当該無線端末局がフレキシブル無線基地局を検出できないという問題がある。
【００２１】
本発明では、フレキシブル無線基地局に接続される信号処理装置が、フレキシブル無線基地局のサポートしていない無線方式の報知信号（ビーコン信号）を定期的に送信する。また、当該報知信号（ビーコン信号）に対して無線端末局からの応答を受信したときは、対応するフレキシブル無線基地局に対して、当該無線方式をインストールするためのソフトウェアを配信する。
【００２２】
このような構成にすることにより、フレキシブル無線基地局は、実際に通信を行っている端末との間で使用する無線方式のみをサポートしていればよく、それ以外の無線方式の無線端末局がサービスエリアに入ってきたときには、報知信号（ビーコン信号）による応答を通じてこれを検出し、フレキシブル無線基地局がサポートする無線方式をアップデートすることができる。
【００２３】
以下、本発明の一実施形態を、図面を参照して説明する。
【００２４】
Ａ．第１実施形態
本発明の第１実施形態について説明する。
図１は、本発明の第１実施形態におけるフレキシブルワイヤレスシステムの構成を示すブロック図である。図１において、フレキシブルワイヤレスシステムは、有線ネットワーク１に接続された１つの信号処理装置２と、当該信号処理装置２を経由して有線ネットワークに接続する複数のフレキシブル無線基地局３−１〜３−Ｎ（以下、総称してフレキシブル無線基地局３という）と、当該フレキシブル無線基地局３に接続する複数の無線端末局４ａ−１〜４ａ−Ｎ、４ｂ−１〜４ｂ−Ｎ（以下、総称して無線端末局４という）とから構成される。
【００２５】
本第１実施形態では、信号処理装置２が、各無線方式に対応する下り報知信号を作成し、作成した報知信号を、当該無線方式をインストールしていない配下のフレキシブル無線基地局３に低頻度でマルチキャスト送信するものである。フレキシブル無線基地局３は、報知信号を信号処理装置２から受信する度に、当該報知信号を配下の無線端末局４にブロードキャスト送信することに加え、インストールしている無線方式に対応する報知信号を作成し、作成した報知信号を配下の無線端末局４に定期的にブロードキャスト送信することになる。なお、上記低頻度とは、インストールしている無線方式に対応する報知信号を送信する頻度（定期的）に比べ、より長い時間間隔であることを意味し、信号処理装置２や、フレキシブル無線基地局３、無線端末局４のスペックや、台数などに応じて適宜決定すればよい。
【００２６】
図２は、本第１実施形態における信号処理装置２、フレキシブル無線基地局３、及び無線端末局４の構成を示すブロック図である。図２において、信号処理装置２は、中央処理装置や、記憶装置から構成され、無線方式管理部２０、報知信号作成部２１、下りリンク通信部２２、上りリンク通信部２３、無線方式検出部２４、無線方式インストール信号作成部２５、制御部２６を備えている。
【００２７】
無線方式管理部２０は、信号処理装置２の配下の各フレキシブル無線基地局３にインストールされている無線方式を管理する。報知信号作成部２１は、各無線方式に対応する下り報知信号を作成する。なお、当該下り報知信号の作成頻度は、無線方式管理部２０から通知される信号処理装置２の配下のフレキシブル無線基地局３にインストールされている無線方式に基づいて決定される。
【００２８】
具体的には、当該フレキシブル無線基地局３にインストールされていない無線方式に対応する下り報知信号を低頻度で作成する。低頻度で作成するのは、その時点でフレキシブル無線基地局３にインストールされていない無線方式は、すなわち、フレキシブル無線基地局３の周囲に当該無線方式の無線端末局４が存在しないためであり、当該無線方式の報知信号をフレキシブル無線基地局３にインストールされている無線方式と同様に送信することは、負荷の観点で効率的でないためである。
【００２９】
下りリンク通信部２２は、下り信号をフレキシブル無線基地局３に送信するとともに、報知信号作成部２１が作成した下り報知信号、及び無線方式インストール信号作成部２５が作成した無線方式インストール信号をフレキシブル無線基地局３に送信する。
【００３０】
上りリンク通信部２３は、上り信号をフレキシブル無線基地局３から受信する。無線方式検出部２４は、フレキシブル無線基地局３から受信した信号に対応する無線方式を検出する。無線方式インストール信号作成部２５は、無線方式をインストールする信号を作成する。当該無線方式インストール信号は、フレキシブル無線基地局３から受信した信号に対応する無線方式を検出した際に、当該無線方式が当該フレキシブル無線基地局３にインストールされていなかった場合に作成される。
【００３１】
制御部２６は、信号処理装置２内の無線方式管理部２０が管理するべき無線方式を制御する。具体的には、フレキシブル無線基地局３が無線方式をインストールすることになった場合には、無線方式管理部２０に当該フレキシブル無線基地局３が当該無線方式をインストールしたことを通知し、フレキシブル無線基地局３が無線方式をアンインストールした場合には、無線方式管理部２０に当該フレキシブル無線基地局３が当該無線方式をアンインストールしたこと（インストールしていないこと）を通知する。
【００３２】
フレキシブル無線基地局３は、中央処理装置や、記憶装置から構成され、報知信号作成部３０、下りリンク通信部３１、無線方式利用頻度管理部３２、無線方式アンインストール部３３、無線方式アンインストール完了信号作成部３４、上りリンク通信部３５、同期確立部３６を備えている。
【００３３】
報知信号作成部３０は、フレキシブル無線基地局３にインストールされている無線方式に対応する下り報知信号を定期的に作成する。下りリンク通信部３１は、下り信号を信号処理装置２から受信し、当該下り信号を無線端末局４に送信するとともに、信号処理装置２から受信した報知信号、及び報知信号作成部３０が作成した報知信号を無線端末局４に送信する。無線方式利用頻度管理部３２は、フレキシブル無線基地局３にインストールされている無線方式を用いて行われた通信の頻度を管理する。
【００３４】
無線方式アンインストール部３３は、フレキシブル無線基地局３にインストールされている無線方式を用いて行われた通信の頻度が閾値を下回った場合、当該無線方式をアンインストールする。なお、この閾値には、実施形態ごとに予め定められた値が用いられ、この値は、無線方式アンインストール部３３内の所定のメモリ領域内に記憶される。無線方式アンインストール完了信号作成部３４は、無線方式のアンインストールが完了した際に、無線方式のアンインストールが完了したことを通知する無線方式アンインストール完了信号を作成する。
【００３５】
上りリンク通信部３５は、上り信号を無線端末局４から受信し、当該上り信号を信号処理装置２に送信するとともに、無線方式アンインストール完了信号作成部３４が作成した無線方式アンインストール完了信号を信号処理装置２に送信する。同期確立部３６は、無線端末局４から同期確立要求信号を受信した場合、当該無線端末局４との同期を確立する。
【００３６】
無線端末局４は、中央処理装置や、記憶装置から構成され、下りリンク通信部４０、同期確立要求信号作成部４１、上りリンク通信部４２を備えている。下りリンク通信部４０は、下り信号をフレキシブル無線基地局３から受信する。同期確立要求信号作成部４１は、フレキシブル無線基地局３との同期確立を要求する信号を作成する。当該同期確立要求信号は、フレキシブル無線基地局３との同期を確立していない無線端末局４が、フレキシブル無線基地局３から当該無線端末局４が扱う無線方式に対応する報知信号を受信した際に作成される。上りリンク通信部４２は、上り信号をフレキシブル無線基地局３に送信するとともに、同期確立要求信号作成部４１が作成した同期確立要求信号をフレキシブル無線基地局３に送信する。
【００３７】
次に、本第１実施形態の動作について説明する。
図３は、本第１実施形態におけるフレキシブルワイヤレスシステム全体の動作を説明する図である。図３において、信号処理装置２は、８０２．１１と８０２．１５．４の２種類の無線方式を管理しているものとする。
【００３８】
信号処理装置２は、フレキシブル無線基地局３ａに対して、８０２．１５．４に対応する報知信号を低頻度に送信し、フレキシブル無線基地局３ｃに対して、８０２．１１に対応する報知信号を低頻度に送信する。
【００３９】
フレキシブル無線基地局３ａは、無線端末局４ａ−１〜４ａ−Ｎに対して、８０２．１１に対応する報知信号を定期的に送信し、信号処理装置２から８０２．１５．４に対応する報知信号を受信するたびに当該報知信号を送信する。フレキシブル無線基地局３ｂは、無線端末局４ｂ−１〜４ｂ−Ｎに対して、８０２．１１に対応する報知信号を定期的に送信し、８０２．１５．４に対応する報知信号を定期的に送信する。さらに、フレキシブル無線基地局３ｃは、無線端末局４ｃ−１〜４ｃ−Ｎに対して、信号処理装置２から８０２．１１に対応する報知信号を受信するたびに当該報知信号を送信し、８０２．１５．４に対応する報知信号を定期的に送信する。
【００４０】
図４、及び図５は、本第１実施形態における信号処理装置２、フレキシブル無線基地局３、無線端末局４の各々の動作を説明するフローチャートである。まず、信号処理装置２では、無線方式管理部２０は、当該信号処理装置２配下の各フレキシブル無線基地局３にインストールされている無線方式を報知信号作成部２１に通知する。報知信号作成部２１は、無線方式管理部２０から通知された当該信号処理装置２配下の各フレキシブル無線基地局３にインストールされている無線方式を表す情報に基づいて、各無線方式に対応する下り報知信号を作成する。つまり、フレキシブル無線基地局３にインストールされていない無線方式に対応する報知信号を低頻度で作成することになる。下りリンク通信部２２は、報知信号作成部２１が作成した報知信号を、当該報知信号に対応する無線方式をインストールしていない当該信号処理装置２配下のフレキシブル無線基地局３にマルチキャスト送信する（ステップＳｃ１）。
【００４１】
フレキシブル無線基地局３では、報知信号作成部３０は、当該フレキシブル無線基地局３にインストールされている無線方式に対応する下り報知信号を定期的に作成し、下りリンク通信部３１は、信号処理装置２から受信した報知信号、及び報知信号作成部３０が作成した報知信号を、当該フレキシブル無線基地局３配下の無線端末局４にブロードキャスト送信する（ステップＳｃ２、Ｓｃ３、Ｓｃ４）。
【００４２】
無線端末局４では、下りリンク通信部４０は、フレキシブル無線基地局３から送信された報知信号を受信し（ステップＳｃ５）、受信した報知信号を同期確立要求信号作成部４１に通知し、同期確立要求信号作成部４１は、当該無線端末局４が下りリンク通信部４０から通知された報知信号に対応する無線方式を扱っており（ステップＳｃ６のＹＥＳ）、かつ、当該無線端末局４がフレキシブル無線基地局３との同期を確立していない場合（ステップＳｃ７のＮＯ）、同期要求確立信号を作成し、上りリンク通信部４２は、同期確立要求信号作成部４１が作成した同期要求確立信号をフレキシブル無線基地局３に報知する（ステップＳｃ８）。一方、当該無線端末局４が下りリンク通信部４０から通知された報知信号に対応する無線方式を扱っていない場合（ステップＳｃ６のＮＯ）、あるいは、当該無線端末局４がフレキシブル無線基地局３との同期を確立している場合には（ステップＳｃ７のＹＥＳ）、何もせずに、ステップＳｃ１またはＳｃ２へ戻る。
【００４３】
フレキシブル無線基地局３では、上りリンク通信部３５は、無線端末局４から送信された同期確立要求信号を受信し（ステップＳｃ９）、受信した同期確立要求信号に対応する無線方式がインストール済みである場合には（ステップＳｃ１０のＹＥＳ）、同期確立部３６は、ステップＳｃ９で受信した同期確立要求信号を送信した無線端末局４との同期を確立する（ステップＳｃ１７）。一方、受信した同期確立要求信号に対応する無線方式がインストール済みでない場合には（ステップＳｃ１０のＮＯ）、上りリンク通信部３５は、受信した同期確立要求信号を信号処理装置２に送信する（ステップＳｃ１１）。
【００４４】
信号処理装置２では、上りリンク通信部２３は、フレキシブル無線基地局３から送信された同期確立要求信号を受信し（ステップＳｃ１２）、無線方式検出部２４は、受信した同期確立要求信号に対して無線方式の検出を実施し（ステップＳｃ１３）、無線方式インストール信号作成部２５は、受信した同期確立要求信号に対する無線方式をインストールする旨を指示するインストール信号を作成し、制御部２６は、当該インストール信号に対応する無線方式をインストールすることを無線方式管理部２０に通知し、下りリンク通信部２２は、フレキシブル無線基地局３に作成したインストール信号を送信する（ステップＳｃ１４）。無線方式管理部２０は、当該フレキシブル無線基地局３に当該無線方式がインストールされたことを管理する。
【００４５】
フレキシブル無線基地局３では、下りリンク通信部３１は、信号処理装置２から無線方式のインストール信号を受信し（ステップＳｃ１５）、受信した無線方式インストール信号に対応する無線方式をインストールする（ステップＳｃ１６）。無線方式をインストールする前は、当該無線方式に対応する報知信号を、信号処理装置２が低頻度で送信していたが、当該無線方式をインストールすることにより、当該報知信号をフレキシブル無線基地局３が定期的に送信するようになる。次に、同期確立部３６は、ステップＳｃ９で受信した同期確立要求信号を送信した無線端末局４との同期を確立する（ステップＳｃ１７）。
【００４６】
なお、図３、または図４及び図５には示されていないが、フレキシブル無線基地局３は、インストールされている無線方式を用いて行われた通信の頻度が閾値を下回った場合、当該無線方式をアンインストールすることができる。
【００４７】
すなわち、フレキシブル無線基地局３では、無線方式利用頻度管理部３２は、当該フレキシブル無線基地局３にインストールされている無線方式を用いて行われた通信の頻度を無線方式アンインストール部３３に通知する。無線方式アンインストール部３３は、無線方式利用頻度管理部３２から通知された当該フレキシブル無線基地局３にインストールされている無線方式を用いて行われた通信の頻度を表す情報に基づいて、当該無線方式をアンインストールする。つまり、当該頻度が閾値を下回った場合、当該無線方式をアンインストールすることになる。また、無線方式のアンインストールが完了したことを無線方式アンインストール完了信号作成部３４に通知する。
【００４８】
無線方式アンインストール完了信号作成部３４は、無線方式アンインストール部３３から無線方式のアンインストールが完了したことを通知された場合、当該無線方式のアンインストールが完了したことを表す信号を作成する。上りリンク通信部３５は、無線方式アンインストール完了信号作成部３４が作成した無線方式アンインストール完了信号を信号処理装置２に報知する。
【００４９】
また、信号処理装置２では、上りリンク通信部２３は、無線方式アンインストール完了信号を当該信号処理装置２配下のフレキシブル無線基地局３から受信する。制御部２６は、フレキシブル無線基地局３から無線方式アンインストール完了信号を受信した場合、無線方式管理部２０に当該フレキシブル無線基地局３が当該無線方式アンインストール完了信号に対応する無線方式をアンインストールすることを通知する。無線方式管理部２０は、当該フレキシブル無線基地局３にインストールされていた当該無線方式がアンインストールされたことを管理する。
【００５０】
なお、上述した第１実施形態において、フレキシブル無線基地局３は、信号処理装置２から受信した報知信号を復調することなく無線端末局４に送信することにより、信号処理装置２−無線端末局４間の通信に必要な信号処理量を削減することができる。
【００５１】
また、上述した第１実施形態において、信号処理装置２は、報知信号と共に報知信号の送信間隔をフレキシブル無線基地局３に通知するようにしてもよい。その結果、以降の報知信号の送信をフレキシブル無線基地局３で実施することができるようになり、信号処理装置２が報知信号を送信する負荷を軽減することができる。
【００５２】
また、上述した第１実施形態において、フレキシブルワイヤレスシステムが収容する無線方式に幅広く適用することができる。よって、本発明は、利用形態として、特定の無線方式（例えば、８０２．１１や８０２．１５．４）に制限されるものではない。
【００５３】
Ｂ．第２実施形態
次に、本発明の第２実施形態について説明する。
図６は、本発明の第２実施形態におけるフレキシブルワイヤレスシステムの構成を示すブロック図である。なお、図１に対応する部分には同一の符号を付けて説明を省略する。図６において、フレキシブルワイヤレスシステムは、有線ネットワーク１に接続された１つの方式管理装置５と、当該方式管理装置５に有線回線を介して接続される信号処理装置６−１〜６−Ｎ（以下、総称して信号処理装置６という）と、当該信号処理装置６−１〜６−Ｎを経由して有線ネットワークに接続する複数のフレキシブル無線基地局７ａ−１〜７ａ−Ｎ、７ｂ−１〜７ｂ−Ｎ（以下、総称してフレキシブル無線基地局７という）と、当該フレキシブル無線基地局７に無線回線を介して接続する複数の無線端末局８ａ−１〜８ａ−Ｎ、８ｂ−１〜８ｂ−Ｎ、８ｃ−１〜８ｃ−Ｎ、８ｄ−１〜８ｄ−Ｎ（以下、総称して無線端末局８という）とから構成される。
【００５４】
方式管理装置５は、各無線方式に対応する下り報知信号を作成し、作成した報知信号を、当該無線方式をインストールしていない配下の信号処理装置６−１〜６−Ｎに低頻度でマルチキャスト送信するようになっている。すなわち、本第２実施形態では、方式管理装置５が、各無線方式に対応する下り報知信号を作成し、作成した報知信号を当該無線方式がインストールされていない、配下の信号処理装置６−１〜６−Ｎに低頻度でマルチキャスト送信する。信号処理装置６−１〜６−Ｎは、報知信号を方式管理装置５から受信する度に、当該報知信号を配下のフレキシブル無線基地局７ａ−１〜７ａ−Ｎ、７ｂ−１〜７ｂ−Ｎに送信することに加え、インストールしている無線方式に対応する報知信号を作成し、作成した報知信号を配下のフレキシブル無線基地局７ａ−１〜７ａ−Ｎ、７ｂ−１〜７ｂ−Ｎに定期的に送信することになる。なお、上記低頻度とは、インストールしている無線方式に対応する報知信号を送信する頻度（定期的）に比べ、より長い時間間隔であることを意味し、方式管理装置５や、信号処理装置６、フレキシブル無線基地局７、無線端末局８のスペックや、台数などに応じて適宜決定すればよい。
【００５５】
図７は、本第２実施形態における方式管理装置５、信号処理装置６、フレキシブル無線基地局７、及び無線端末局８の構成を示すブロック図である。ここでは、第１実施形態と同じ機能については、その説明を省略し、相違点を以下に説明する。図７において、方式管理装置５は、中央処理装置や、記憶装置から構成され、第１実施形態における信号処理装置２が備えている、無線方式管理部２０、報知信号作成部２１、下りリンク通信部２２、上りリンク通信部２３、無線方式検出部２４、無線方式インストール信号作成部２５、制御部２６に相当する、無線方式管理部５０、報知信号作成部５１、下りリンク通信部５２、上りリンク通信部５３、無線方式検出部５４、無線方式インストール信号作成部５５、及び制御部５６を備えている。
【００５６】
無線方式管理部５０は、方式管理装置５配下の各信号処理装置６にインストールされている無線方式を管理する。報知信号作成部５１は、各無線方式に対応する下り報知信号を作成する。なお、当該下り報知信号の作成頻度は、無線方式管理部５０から通知される方式管理装置５配下の信号処理装置６にインストールされている無線方式に基づいて決定される。具体的には、当該信号処理装置６にインストールされていない無線方式に対応する下り報知信号を低頻度で作成する。
【００５７】
下りリンク通信部５２は、下り信号を信号処理装置６に送信するとともに、報知信号作成部５１が作成した下り報知信号、及び無線方式インストール信号作成部５５が作成した無線方式インストール信号を信号処理装置６に送信する。上りリンク通信部５３は、上り信号を信号処理装置６から受信する。無線方式検出部５４は、信号処理装置６から受信した信号に対応する無線方式を検出する。
【００５８】
無線方式インストール信号作成部５５は、無線方式をインストールする信号を作成する。当該無線方式インストール信号は、信号処理装置６から受信した信号に対応する無線方式を検出した際に、当該無線方式が当該信号処理装置６にインストールされていなかった場合に作成される。
【００５９】
制御部５６は、方式管理装置５内の無線方式管理部５０が管理するべき無線方式を制御する。具体的には、信号処理装置６が無線方式をインストールすることになった場合には、無線方式管理部５０に当該信号処理装置６が当該無線方式をインストールしたことを通知し、信号処理装置６が無線方式をアンインストールした場合には、無線方式管理部５０に当該信号処理装置６が当該無線方式をアンインストールしたこと（インストールしていないこと）を通知する。
【００６０】
信号処理装置６は、第１実施形態におけるフレキシブル無線基地局３と同様の構成を備える。すなわち、信号処理装置６は、フレキシブル無線基地局３が備えている、報知信号作成部３０、下りリンク通信部３１、無線方式利用頻度管理部３２、無線方式アンインストール部３３、無線方式アンインストール完了信号作成部３４、上りリンク通信部３５、同期確立部３６に相当する、報知信号作成部６０、下りリンク通信部６１、無線方式利用頻度管理部６２、無線方式アンインストール部６３、無線方式アンインストール完了信号作成部６４、上りリンク通信部６５、同期確立部６６を備えている。報知信号作成部６０は、信号処理装置６にインストールされている無線方式に対応する下り報知信号を定期的に作成する。下りリンク通信部６１は、下り信号を方式管理装置５から受信し、当該下り信号をフレキシブル無線基地局７に送信するとともに、方式管理装置５から受信した報知信号、及び報知信号作成部６０が作成した報知信号をフレキシブル無線基地局７に送信する。
【００６１】
無線方式利用頻度管理部６２は、信号処理装置６にインストールされている無線方式を用いて行われた通信の頻度を管理する。無線方式アンインストール部６３は、信号処理装置６にインストールされている無線方式を用いて行われた通信の頻度が閾値を下回った場合、当該無線方式をアンインストールする。なお、この閾値には、実施形態ごとに予め定められた値が用いられ、この値は、無線方式アンインストール部６３内の所定のメモリ領域内に記憶される。
【００６２】
無線方式アンインストール完了信号作成部６４は、無線方式のアンインストールが完了した際に、無線方式のアンインストールが完了したことを通知する無線方式アンインストール完了信号を作成する。上りリンク通信部６５は、上り信号をフレキシブル無線基地局７から受信し、当該上り信号を方式管理装置５に送信するとともに、無線方式アンインストール完了信号作成部６４が作成した無線方式アンインストール完了信号を方式管理装置５に送信する。
【００６３】
同期確立部６６は、無線端末局８からフレキシブル無線基地局７を介して同期確立要求信号を受信した場合、当該フレキシブル無線基地局７を介して当該無線端末局８との同期を確立する。
【００６４】
フレキシブル無線基地局７は、下りリンク通信部７０、上りリンク通信部７１を備えている。下りリンク通信部７０は、下り信号を信号処理装置６から受信するとともに、下り信号を無線端末局８に送信する。上りリンク通信部７１は、上り信号を無線端末局８から受信するとともに、上り信号を信号処理装置６に送信する。
【００６５】
無線端末局８は、第１実施形態における無線端末局４と同様の構成である。すなわち、無線端末局８は、無線端末局４が備えている、下りリンク通信部４０、同期確立要求信号作成部４１、上りリンク通信部４２に相当する、下りリンク通信部８０、同期確立要求信号作成部８１、上りリンク通信部８２を備えている。下りリンク通信部８０、同期確立要求信号作成部８１、上りリンク通信部８２は、それぞれ下りリンク通信部４０、同期確立要求信号作成部４１、上りリンク通信部４２と同じ機能であるので説明を省略する。
【００６６】
次に、本第２実施形態の動作について説明する。
図８は、本第２実施形態におけるフレキシブルワイヤレスシステム全体の動作を説明する図である。図８において、方式管理装置５は、８０２．１１と８０２．１５．４の２種類の無線方式を管理しているものとする。
【００６７】
方式管理装置５は、信号処理装置６−２に対して、８０２．１５．４に対応する報知信号を低頻度に送信し、信号処理装置６−３、６−４に対して、８０２．１１に対応する報知信号を低頻度に送信する。
【００６８】
信号処理装置６−１は、フレキシブル無線基地局７ａ−１、７ａ−２に対して、８０２．１１に対応する報知信号を定期的に送信し、フレキシブル無線基地局７ａ−１に対して、８０２．１５．４に対応する報知信号を定期的に送信し、フレキシブル無線基地局７ａ−２に対して、８０２．１５．４に対応する報知信号を低頻度で送信する。信号処理装置６−２は、フレキシブル無線基地局７ｂ−１、７ｂ−２に対して、８０２．１１に対応する報知信号を定期的に送信し、方式管理装置５から８０２．１５．４に対応する報知信号を受信する度に当該報知信号を送信する。信号処理装置６−３は、フレキシブル無線基地局７ｃ−１、７ｃ−２に対して、方式管理装置５から８０２．１１に対応する報知信号を受信する度に当該報知信号を送信し、８０２．１５．４に対応する報知信号を定期的に送信する。信号処理装置６−４は、フレキシブル無線基地局７ｄ−１、７ｄ−２に対して、方式管理装置５から８０２．１１に対応する報知信号を受信する度に当該報知信号を送信し、８０２．１５．４に対応する報知信号を定期的に送信する。
【００６９】
図９乃至図１２は、本第２実施形態における方式管理装置５、信号処理装置６、フレキシブル無線基地局７、無線端末局８の各々の動作を説明するフローチャートである。まず、方式管理装置５では、無線方式管理部５０は、方式管理装置５配下の各信号処理装置６にインストールされている無線方式を報知信号作成部５１に通知する。報知信号作成部５１は、無線方式管理部５０から通知された当該方式管理装置５配下の各信号処理装置６にインストールされている無線方式を表す情報に基づいて、各無線方式に対応する下り報知信号を作成する。つまり、信号処理装置６にインストールされていない無線方式に対応する報知信号を低頻度で作成することになる。下りリンク通信部５２は、報知信号作成部５１が作成した報知信号を当該報知信号に対応する無線方式をインストールしていない当該方式管理装置５配下の信号処理装置６にマルチキャスト送信する（ステップＳｆ１）。
【００７０】
信号処理装置６では、報知信号作成部６０は、当該信号処理装置６にインストールされている無線方式に対応する下り報知信号を定期的に作成し、下りリンク通信部６１は、方式管理装置５から受信した報知信号、及び報知信号作成部６０が作成した報知信号を、当該信号処理装置６配下のフレキシブル無線基地局７に送信する（ステップＳｆ２、Ｓｆ３、Ｓｆ４）。
【００７１】
フレキシブル無線基地局７では、下りリンク通信部７０は、信号処理装置６から送信された報知信号を受信し（ステップＳｆ５）、受信した報知信号をフレキシブル無線基地局７配下の無線端末局８にブロードキャスト送信する（ステップＳｆ６）。
【００７２】
無線端末局８では、下りリンク通信部８０は、フレキシブル無線基地局７から送信された報知信号を受信し（ステップＳｆ７）、受信した報知信号を同期確立要求信号作成部８１に通知し、同期確立要求信号作成部８１は、受信した報知信号に対応する無線方式を扱っており（ステップＳｆ８のＹＥＳ）、かつ、当該無線端末局８がフレキシブル無線基地局７を介して信号処理装置６との同期を確立していない場合（ステップＳｆ９のＮＯ）、同期要求確立信号を作成し、上りリンク通信部８２は、同期確立要求信号作成部８１が作成した同期要求確立信号をフレキシブル無線基地局７に報知する（ステップＳｆ１０）。一方、当該無線端末局８が下りリンク通信部８０から通知された報知信号に対応する無線方式を扱っていない場合（ステップＳｆ８のＮＯ）、あるいは、当該無線端末局８がフレキシブル無線基地局７を介して信号処理装置６との同期を確立している場合には（ステップＳｆ９のＹＥＳ）、何もせずにステップＳｆ１またはＳｆ２へ戻る。
【００７３】
フレキシブル無線基地局７では、上りリンク通信部７１は、無線端末局８から送信された同期確立要求信号を受信し（ステップＳｆ１１）、受信した同期確立要求信号を信号処理装置６に送信する（ステップＳｆ１２）。
【００７４】
信号処理装置６では、上りリンク通信部６５は、フレキシブル無線基地局７から送信された同期確立要求信号を受信し（ステップＳｆ１３）、受信した同期確立要求信号に対応する無線方式がインストール済みである場合には（ステップＳｆ１４のＹＥＳ）、同期確立部６６は、ステップＳｆ１３で受信した同期確立要求信号を送信したフレキシブル無線基地局７を介して無線端末局８との同期を確立する（ステップＳｆ２１）。
【００７５】
一方、受信した同期確立要求信号に対応する無線方式がインストール済みでない場合には（ステップＳｆ１４のＮＯ）、上りリンク通信部６５は、受信した同期確立要求信号を方式管理装置５に送信する（ステップＳｆ１５）。
【００７６】
方式管理装置５では、上りリンク通信部５３は、信号処理装置６から送信された同期確立要求信号を受信し（ステップＳｆ１６）、無線方式検出部５４は、受信した同期確立要求信号に対して無線方式の検出を実施し（ステップＳｆ１７）、無線方式インストール信号作成部５５は、受信した同期確立要求信号に対する無線方式をインストールする旨を指示するインストール信号を作成し、制御部５６は、当該インストール信号に対応する無線方式をインストールすることを無線方式管理部５０に通知し、下りリンク通信部５２は、信号処理装置６に作成したインストール信号を送信する（ステップＳｆ１８）。無線方式管理部５０は、当該信号処理装置６に当該無線方式がインストールされたことを管理する。
【００７７】
信号処理装置６では、下りリンク通信部６１は、方式管理装置５から無線方式のインストール信号を受信し（ステップＳｆ１９）、受信した無線方式インストール信号に対応する無線方式をインストールする（ステップＳｆ２０）。無線方式をインストールする前は、当該無線方式に対応する報知信号を、方式管理装置５が低頻度で送信していたが、当該無線方式をインストールすることにより、当該報知信号を信号処理装置６が定期的に送信するようになる。次に、同期確立部６６は、ステップＳｆ１３で受信した同期確立要求信号を送信したフレキシブル無線基地局７を介して無線端末局８との同期を確立する（ステップＳｆ２１）。
【００７８】
なお、図８、または図９乃至図１２には示されていないが、信号処理装置６は、インストールされている無線方式を用いて行われた通信の頻度が閾値を下回った場合、当該無線方式をアンインストールすることができる。
【００７９】
すなわち、信号処理装置６では、無線方式利用頻度管理部６２は、当該信号処理装置６にインストールされている無線方式を用いて行われた通信の頻度を無線方式アンインストール部６３に通知する。無線方式アンインストール部６３は、無線方式利用頻度管理部６２から通知された当該信号処理装置６にインストールされている無線方式を用いて行われた通信の頻度を表す情報に基づいて、当該無線方式をアンインストールする。つまり、当該頻度が閾値を下回った場合、当該無線方式をアンインストールすることになる。また、無線方式のアンインストールが完了したことを無線方式アンインストール完了信号作成部６４に通知する。
【００８０】
無線方式アンインストール完了信号作成部６４は、無線方式アンインストール部６３から無線方式のアンインストールが完了したことを通知された場合、当該無線方式のアンインストールが完了したことを表す信号を作成する。上りリンク通信部６５は、無線方式アンインストール完了信号作成部６４が作成した無線方式アンインストール完了信号を方式管理装置５に報知する。
【００８１】
また、方式管理装置５では、上りリンク通信部５３は、無線方式アンインストール完了信号を当該方式管理装置５配下の信号処理装置６から受信する。制御部５６は、信号処理装置６から無線方式アンインストール完了信号を受信した場合、無線方式管理部５０に当該信号処理装置６が当該無線方式アンインストール完了信号に対応する無線方式をアンインストールすることを通知する。無線方式管理部５０は、当該信号処理装置６にインストールされていた無線方式がアンインストールされたことを管理する。
【００８２】
なお、上述した第２実施形態において、信号処理装置６は、方式管理装置５から受信した報知信号を復調することなくフレキシブル無線基地局７に送信することにより、方式管理装置５−無線端末局８間の通信に必要な信号処理量を削減することができる。
【００８３】
また、上述した第２実施形態において、フレキシブル無線基地局７は、信号処理装置６から受信した報知信号を復調することなく無線端末局８に送信することにより、方式管理装置５−無線端末局８間の通信に必要な信号処理量を削減することができる。
【００８４】
また、上述した第２実施形態において、方式管理装置５は、報知信号と共に報知信号の送信間隔を信号処理装置６に通知するようにしてもよい。その結果、以降の報知信号の送信を信号処理装置６で実施することができるようになり、方式管理装置５が報知信号を送信する負荷を軽減することができる。
【００８５】
また、上述した第２実施形態において、フレキシブルワイヤレスシステムが収容する無線方式に幅広く適用することができる。よって、本発明は、利用形態として、特定の無線方式（例えば、８０２．１１や８０２．１５．４）に制限されるものではない。
【符号の説明】
【００８６】
１  有線ネットワーク
２、６、６−１〜６−Ｎ  信号処理装置
３、３−１〜３−Ｎ、７、７ａ−１〜７ａ−Ｎ、７ｂ−１〜７ｂ−Ｎ、７ｃ−１〜７ｃ−２、７ｄ−１〜７ｄ−２  フレキシブル無線基地局
４、４ａ−１〜４ａ−Ｎ、４ｂ−１〜４ｂ−Ｎ、４ｃ−１〜４ｃ−Ｎ、８、８ａ−１〜８ａ−Ｎ、８ｂ−１〜８ｂ−Ｎ、８ｃ−１〜８ｃ−Ｎ、８ｄ−１〜８ｄ−Ｎ、８ｅ−１〜８ｅ−Ｎ、８ｆ−１〜８ｆ−Ｎ、８ｇ−１〜８ｇ−Ｎ、８ｈ−１〜８ｈ−Ｎ  無線端末局
５  方式管理装置
２０、５０  無線方式管理部
２１、５１  報知信号作成部
２２、５２  下りリンク通信部
２３、５３  上りリンク通信部
２４、５４  無線方式検出部
２５、５５  無線方式インストール信号作成部
２６、５６  制御部
３０、６０  報知信号作成部
３１、６１  下りリンク通信部
３２、６２  無線方式利用頻度管理部
３３、６３  無線方式アンインストール部
３４、６４  無線方式アンインストール完了信号作成部
３５、６５  上りリンク通信部
３６、６６  同期確立部
４０、８０  下りリンク通信部
４１、８１  同期確立要求信号作成部
４２、８２  上りリンク通信部
７０  下りリンク通信部
７１  上りリンク通信部
【図１】
0005596660.tif 000002
【図２】
0005596660.tif 000003
【図３】
0005596660.tif 000004
【図４】
0005596660.tif 000005
【図５】
0005596660.tif 000006
【図６】
0005596660.tif 000007
【図７】
0005596660.tif 000008
【図８】
0005596660.tif 000009
【図９】
0005596660.tif 000010
【図１０】
0005596660.tif 000011
【図１１】
0005596660.tif 000012
【図１２】
0005596660.tif 000013